(57)【要約】【課題】  急速な蓄電残量の減少を防止することができ、また蓄電量不足によるエンジンストールの防止は勿論のこと、油圧作動部の所期の動作性能の確保をも図ることのできるハイブリッド作業機械の駆動制御装置を提供する。【解決手段】  電動・発電機制御手段（２１，３８）は、油圧作動部２ｂ，３，５の所定の動作状態に基づいて定められる動作形態に応じて設定された電動・発電機２０の力行トルク出力値のデータテーブルに基づきエンジン１６の実回転数を参照することで算出される力行トルク値を蓄電残量に応じて制限し、この制限された力行トルク値を電動・発電機２０に出力させ、またポンプ吸収トルク制御装置３０は、油圧ポンプ１７の出力を略一定に保つようにその油圧ポンプ１７に対する入力トルクの最大値を制御する構成とする。【選択図】図２
2005083242.tif 000002
【特許請求の範囲】
【請求項１】
エンジンと、このエンジンにより駆動される油圧ポンプと、この油圧ポンプから吐出される圧油により作動される油圧作動部と、前記エンジンとの間でトルクの伝達を行えるように設けられる電動・発電機と、この電動・発電機との間で電気エネルギの授受を行う蓄電手段を備えるハイブリッド作業機械の駆動制御装置において、
前記エンジンの実回転数を検出するエンジン回転数検出手段と、前記油圧作動部の所定の動作状態に基づいて定められる特定の動作形態を判別する動作形態判別手段と、前記蓄電手段における蓄電残量を検出する蓄電残量検出手段と、前記電動・発電機の作動を制御する電動・発電機制御手段を備え、
前記動作形態判別手段によって前記油圧作動部が前記特定の動作形態であると判別されたときに、前記電動・発電機制御手段は、その特定の動作形態に応じて設定される前記電動・発電機の力行トルク出力特性を前記エンジンの回転数と関係付けることで得られる力行トルク出力値情報に基づいて、前記エンジン回転数検出手段によって検出される前記エンジンの実回転数を参照することにより、前記電動・発電機に出力させるべき力行トルク値を求めるとともに、この求められた力行トルク値を前記蓄電残量検出手段によって検出される蓄電残量に応じて制限し、この制限された力行トルク値を前記電動・発電機が出力するようにその電動・発電機の作動を制御することを特徴とするハイブリッド作業機械の駆動制御装置。
【請求項２】
前記油圧ポンプの出力を略一定に保つようにその油圧ポンプに対する入力トルクの最大値を制御するポンプ吸収トルク制御手段が設けられる請求項１に記載のハイブリッド作業機械の駆動制御装置。
【発明の詳細な説明】
【技術分野】
【０００１】
本発明は、油圧ショベルやホイールローダ等の作業機械に適用して好適なハイブリッド作業機械の駆動制御装置に関するものである。
【背景技術】
【０００２】
この種従来の駆動制御装置としては、エンジンを駆動源とする油圧ポンプに連結される電動・発電機と、この電動・発電機との間で電気エネルギの授受を行う蓄電手段と、油圧作動部を駆動する上で必要となる前記油圧ポンプでの必要吸収トルクを検出する吸収トルク検出手段を備え、この吸収トルク検出手段により検出された吸収トルクが予め定められたトルク設定値よりも小さいときに前記電動・発電機を発電作動させ、前記吸収トルクがそのトルク設定値よりも大きいときにその電動・発電機を力行作動（アシスト作動）させるように構成されたものが知られている（例えば、特許文献１参照）。
【０００３】
ところが、この従来装置では、油圧作動部を駆動する上で必要となる前記油圧ポンプでの必要吸収トルクを検出するのに吸収トルク検出手段が必要となって装置が複雑になるとともに、エンジンから油圧ポンプに至る動力伝達経路での慣性負荷や摩擦力の影響が考慮されていないために目標とする最適なエンジンの負荷特性に正確に制御できないといった問題がある。
【０００４】
このような問題を解決し得る先行技術が特許文献２にて提案されている。この先行技術に係る駆動制御装置は、油圧作動部に圧油を供給する油圧ポンプの駆動源であるエンジンに対してトルク伝達可能に電動・発電機を連結するとともに、この電動・発電機の作動を制御する電動・発電機制御手段を設け、目標トルクに対応するエンジン回転数をエンジン回転数の目標値として用い、この目標値とエンジン回転数の実測値とを比較して、実測値が目標値よりも小さくなると前記電動・発電機制御手段により電動・発電機を電動機として機能させ、実測値が目標値よりも大きくなると前記電動・発電機制御手段により電動・発電機を発電機として機能させるように構成されている。この駆動制御装置によれば、前記油圧ポンプに吸収されるエンジンの軸トルクを直接検出しなくても、エンジンの出力を目標トルクが保たれるように制御することができるとともに、エンジン回転数の目標値と比較されるエンジン回転数の実測値にはエンジンから油圧ポンプに至る動力伝達経路での慣性負荷や摩擦力の影響が含まれるので、エンジンの出力トルクを正確に制御することができる。
【０００５】
【特許文献１】特開平９−２２４３５４号公報
【特許文献２】特開２００３−２８０７１号公報
【発明の開示】
【発明が解決しようとする課題】
【０００６】
しかしながら、前記先行技術は、最適なエンジン負荷特性を電動・発電機による力行／回生動作で補償する技術であり、この先行技術に係る駆動制御装置では、蓄電残量が低い水準にある場合においても、負荷が要求する出力を電動・発電機によるアシスト動作で補償することになる。このように、蓄電残量が低い水準にある状態で、言い換えれば電圧が低い水準にある状態で、所期のアシスト動作を行わせると、電動・発電機や回路中に流れる電流が増加してしまうことになり、消費電力が加速度的に増加して蓄電残量が著しく減少する。このため、以後の作業において電動・発電機によるアシスト動作が不能になる恐れがあるという問題点がある。また、電動・発電機によるアシスト動作が不能になってしまうと、当該駆動制御装置で採用されるエンジンは一般に小型のものであるから、負荷に対しエンジン単体では持ちこたえることができずにエンジンストールに陥る可能性があるという問題点もある。
【０００７】
本発明は、このような問題点を解消するためになされたもので、急速な蓄電残量の減少を防止することができ、また蓄電量不足によるエンジンストールの防止は勿論のこと、油圧作動部の所期の動作性能の確保をも図ることのできるハイブリッド作業機械の駆動制御装置を提供することを目的とするものである。
【課題を解決するための手段】
【０００８】
前記目的を達成するために、本発明によるハイブリッド作業機械の駆動制御装置は、
エンジンと、このエンジンにより駆動される油圧ポンプと、この油圧ポンプから吐出される圧油により作動される油圧作動部と、前記エンジンとの間でトルクの伝達を行えるように設けられる電動・発電機と、この電動・発電機との間で電気エネルギの授受を行う蓄電手段を備えるハイブリッド作業機械の駆動制御装置において、
前記エンジンの実回転数を検出するエンジン回転数検出手段と、前記油圧作動部の所定の動作状態に基づいて定められる特定の動作形態を判別する動作形態判別手段と、前記蓄電手段における蓄電残量を検出する蓄電残量検出手段と、前記電動・発電機の作動を制御する電動・発電機制御手段を備え、
前記動作形態判別手段によって前記油圧作動部が前記特定の動作形態であると判別されたときに、前記電動・発電機制御手段は、その特定の動作形態に応じて設定される前記電動・発電機の力行トルク出力特性を前記エンジンの回転数と関係付けることで得られる力行トルク出力値情報に基づいて、前記エンジン回転数検出手段によって検出される前記エンジンの実回転数を参照することにより、前記電動・発電機に出力させるべき力行トルク値を求めるとともに、この求められた力行トルク値を前記蓄電残量検出手段によって検出される蓄電残量に応じて制限し、この制限された力行トルク値を前記電動・発電機が出力するようにその電動・発電機の作動を制御することを特徴とするものである（第１発明）。
【０００９】
第１発明において、前記油圧ポンプの出力を略一定に保つようにその油圧ポンプに対する入力トルクの最大値を制御するポンプ吸収トルク制御手段が設けられるのが好ましい（第２発明）。
【発明の効果】
【００１０】
第１発明においては、油圧作動部の所定の動作状態に基づいて特定の動作形態が定められるとともに、この特定の動作形態に応じた電動・発電機の力行トルク出力特性が設定される。そして、電動・発電機制御手段では、動作形態判別手段によって油圧作動部がその特定の動作形態であると判別されたときに、その特定の動作形態に応じて設定される力行トルク出力特性をエンジンの回転数に対応させることで得られる力行トルク出力値情報に基づいて、エンジン回転数検出手段によって検出されるエンジンの実回転数を参照することにより、電動・発電機に出力させるべき力行トルク値を求め、この求められた力行トルク値を蓄電残量検出手段によって検出される蓄電残量に応じて制限し、この制限された力行トルク値を電動・発電機が出力するようにその電動・発電機の作動を制御するようにされる。本発明によれば、蓄電残量に応じて電動・発電機による力行動作が制限されるので、急速な蓄電残量の減少を防止することができる。
【００１１】
また、第２発明の構成を採用することにより、電動・発電機の力行動作の制限によってアシスト力が不足したとしても、エンジンストールの防止は勿論のこと、油圧作動部の所期の動作性能を確保することができる。
【発明を実施するための最良の形態】
【００１２】
次に、本発明によるハイブリッド作業機械の駆動制御装置の具体的な実施の形態について、図面を参照しつつ説明する。なお、本実施形態は、作業機械として油圧ショベルに本発明の駆動制御装置が適用された例である。
【００１３】
図１には、本発明の一実施形態に係るハイブリッド油圧ショベルの側面図が示されている。また、図２には、本実施形態のハイブリッド油圧ショベルにおける駆動制御装置の概略システム構成図が示されている。
【００１４】
本実施形態のハイブリッド油圧ショベル１は、図１に示されるように、走行用油圧モータ２ａにより駆動される走行装置２ｂを備えてなる下部走行体２と、旋回用油圧モータ３ａにより駆動される旋回装置３と、この旋回装置３を介して前記下部走行体２上に配される上部旋回体４と、この上部旋回体４の前部中央位置に取着される作業機５と、その上部旋回体４の前部左方位置に設けられる運転室６を備えて構成されている。前記作業機５は、上部旋回体４側から順にブーム７、アーム８およびバケット９がそれぞれ回動可能に連結されてなり、これらブーム７、アーム８およびバケット９のそれぞれに対応するように油圧シリンダ（ブームシリンダ１０、アームシリンダ１１およびバケットシリンダ１２）が配置されている。
【００１５】
このハイブリッド油圧ショベル１における駆動制御装置１５は、図２に示されるように、エンジン１６と、このエンジン１６により駆動される可変容量型油圧ポンプ（以下、単に「油圧ポンプ」という。）１７と、この油圧ポンプ１７に対する前記エンジン１６の出力軸１８に動力伝達機構１９を介して連結される電動・発電機２０と、エンジン１６や電動・発電機２０、後述するポンプ吸収トルク制御装置３０などを制御するコントローラ２１を備えている。
【００１６】
前記エンジン１６には、燃料噴射ポンプ２２とガバナ２３とが併設され、このガバナ２３の燃料コントロールレバー２３ａがガバナ駆動モータ２４にて駆動されるように構成されている。また、この燃料コントロールレバー２３ａの駆動位置はポテンショメータ２５により検出され、その検出信号がコントローラ２１に入力されるようになっている。さらに、エンジン１６のスロットル量を設定するために燃料ダイヤル２６が設けられ、この燃料ダイヤル２６に付設されるポテンショメータ２６ａからのスロットル信号がコントローラ２１に入力されるようになっている。また、エンジン１６の出力軸１８の実回転数は回転数センサ２７にて検出され、その検出信号もコントローラ２１に入力されるようになっている。なおここで、ガバナ２３、ガバナ駆動モータ２４等よりなるガバナ装置を電子ガバナとした所謂電子制御噴射装置を採用しても良い。こうすると、より高精度な駆動制御を行うことができる。
【００１７】
そして、燃料噴射ポンプ２２、ガバナ２３、ガバナ駆動モータ２４、ポテンショメータ２５およびコントローラ２１を含んでなるエンジン制御装置において、コントローラ２１は、燃料ダイヤル２６により入力されるスロットル信号（目標回転数信号）と回転数センサ２７にて検出されるエンジン１６の実際の回転数信号との偏差信号に基づき、所定の関数関係を満足させる電圧を駆動信号として発生し、この駆動信号に基づきガバナ駆動モータ２４を駆動する。また、ガバナ２３は、図５〜図７において記号Ｔ〔Ｅ〕で示されるような特性となるようにエンジン１６の出力トルクを制御する。
【００１８】
今、一例として、図２において示される燃料ダイヤル２６が最大位置にセットされているとすると、ポテンショメータ２６ａからの出力信号は最大目標エンジン回転数Ｎｓ（図５〜図７参照）を示す大きさに設定されており、コントローラ２１からはその最大目標エンジン回転数Ｎｓに対応するモータ駆動信号がガバナ駆動モータ２４に加えられる。これにより、ガバナ駆動モータ２４は、最高速レギュレーションラインＬｓ（図５〜図７参照）が設定されるように燃料コントロールレバー２３ａを作動させ、エンジン１６の出力馬力およびエンジン回転数が自動設定される。
【００１９】
前記エンジン１６の出力軸１８には、慣性負荷として機能するフライホイール２８が設けられており、このフライホイール２８にエンジン回転数の安定化の一翼を担わせるようにされている。なお、このフライホイール２８による慣性負荷手段に代えて、前記電動・発電機２０の回転子等にフライホイール機能を持たせるようにしても良い。
【００２０】
前記油圧ポンプ１７から吐出される圧油は、各油圧アクチュエータ（走行用油圧モータ２ａ、旋回用油圧モータ３ａ、ブームシリンダ１０、アームシリンダ１１、バケットシリンダ１２）に対応して設けられるパイロット圧操作形方向切換弁（図示省略）の集合体であるコントロールバルブ２９を介して走行用油圧モータ２ａ、旋回用油圧モータ３ａおよび各種油圧シリンダ（ブームシリンダ１０、アームシリンダ１１、バケットシリンダ１２）にそれぞれ供給されるようになっている。
【００２１】
前記油圧ポンプ１７には、ポンプ吸収トルク制御装置３０が付設されている。このポンプ吸収トルク制御装置３０は、油圧ポンプ１７の斜板１７ａの傾転角を調整するサーボバルブ３１に対して圧油を供給する油圧回路（詳細な図示による説明は省略）３２中に、負荷の要求する圧力や流量を感知する圧力・流量コンペンセータ弁３３と、流量の大きさを決定する電磁比例流量制御弁３４と、油圧ポンプ１７の最高圧力を制御する電磁比例圧力制御弁３５とを設け、それら制御弁３４，３５に対するコントローラ２１からの指令信号により、以下の（Ａ）〜（Ｃ）の制御がそれぞれ行われるように構成されている。
（Ａ）油圧ポンプ１７に対する入力トルクを一定に制御し、かつその入力トルクの最大値を調整する。
（Ｂ）負荷〔油圧作動部（走行装置２ｂ、旋回装置３、作業機５）に係わる負荷Ｗ〕が要求する圧力と流量を油圧ポンプ１７に吐出させる。
（Ｃ）油圧ポンプ１７に対する入力トルクの最大値をエンジン１６の実回転数と目標回転数との偏差の増大に応じて減少させる。
【００２２】
前記電動・発電機２０は、電動機と発電機の両機能を兼ねるものであって、エンジン１６による油圧ポンプ１７の駆動を助勢する力行動作と、エンジン１６を駆動源として発電する回生動作とを切換可能に構成されている。この電動・発電機２０は、インバータ３８を介して蓄電装置３９に接続されており、このインバータ３８は、コントローラ２１からの指令に応じて、当該電動・発電機２０の力行動作および回生動作を制御している。なお、コントローラ２１およびインバータ３８を含む構成が本発明の「電動・発電機制御手段」に相当する。
【００２３】
前記蓄電装置（蓄電手段）３９は、ニッケルカドミウム電池やニッケル水素電池、リチウムイオン電池等の二次電池、またはキャパシタからなる蓄電部４０を備えて構成されている。この蓄電装置３９には、電圧センサ４１や電流センサ４２、温度センサ４３などが付設されており、各センサ４１，４２，４３からの検出信号がコントローラ２１に入力されるようになっている。そして、各センサ４１，４２，４３にて検出された電圧、電流、温度等の情報に基づいて、コントローラ２１により、蓄電量の管理や充放電の制御が行われるようにされている。なお、各センサ４１，４２，４３およびコントローラ２１を含む構成が本発明の「蓄電残量検出手段」に相当する。
【００２４】
前記運転室６内には、上部旋回体４の旋回動作および作業機５の屈曲起伏動作を操作する作業機操作レバー４４と、同運転室６内に配されて下部走行体２の走行動作を操作する走行操作レバー４５とが設けられている。また、この作業機操作レバー４４および走行操作レバー４５にはそれぞれ減圧弁４６，４７が付設されており、各操作レバー４４，４５の操作に応じたパイロット圧油が各減圧弁４６，４７から吐出されるようになっている。そして、各減圧弁４６，４７から吐出されるパイロット圧油は、コントロールバルブ２９における所定のパイロット圧油入力ポートに入力されて所定の油路切換動作が行われるようになっている。こうして、作業機操作レバー４４の所定の操作にて上部旋回体４の旋回動作と作業機５の屈曲起伏動作とが行われるようにされるとともに、走行操作レバー４５の所定の操作にて下部走行体２の走行動作が行われるようにされている。また、作業機操作レバー４４および走行操作レバー４５のそれぞれの操作状態を示す操作信号は、各減圧弁４６，４７に付設される油圧スイッチ４８，４９を介してコントローラ２１に入力されるようになっている。本実施形態においてそれら操作レバー４４，４５の所定の操作にてコントローラ２１に入力される操作信号は、以下に述べる計８種類である。
（１）上部旋回体４の旋回動作に対応する旋回操作信号
（２）ブーム７の上げ動作に対応するブーム上げ操作信号
（３）ブーム７の下げ動作に対応するブーム下げ操作信号
（４）アーム８を前方に送り出す動作に対応するアームダンプ操作信号
（５）アーム８を手前に引き込む動作に対応するアーム掘削操作信号
（６）バケット９を前方に送り出す動作に対応するバケットダンプ操作信号
（７）バケット９を手前に引き込む動作に対応するバケット掘削操作信号
（８）下部走行体２の走行動作に対応する走行操作信号
【００２５】
なお、図２において示される、前記各油圧スイッチ４８，４９を各減圧弁４６，４７に付設する装置構成に代えて、図３（ａ）に示されるように、コントロールバルブ２９における各スプール５０，５１に対応させて設けられる各パイロット圧操作部５２，５３に、それぞれ油圧スイッチ５４，５５（または圧力センサ）を付設する装置構成、もしくは、図３（ｂ）に示されるように、各減圧弁４６，４７のそれぞれに各操作レバー４４，４５の操作位置を検出するポテンショメータ５６，５７を付設する装置構成としても、後述する動作モード判別手段と同様に動作モードの判別を行わせることが可能である。
【００２６】
本実施形態においては、コントローラ２１に対する前記各操作信号の入力のＯＮ／ＯＦＦにより、そのコントローラ２１が、油圧作動部（走行装置２ｂ、旋回装置３、作業機５）の動作状態を判断し、この判断に基づいて、後述するアイドリングモード、作業モードおよび走行モードのうちのいずれの動作モードであるかを判別する動作モード判別手段が構築されている。
【００２７】
さらに、本実施形態においては、表１に示されるように、前記各動作モードに応じた電動・発電機２０の力行／回生トルク出力特性が予め設定されるとともに、各力行／回生トルク出力特性をエンジン１６の回転数と関係付けることで得られる力行／回生トルク出力値情報（データテーブルＡ，Ｂ）がコントローラ２１の記憶領域に記憶されている。
【００２８】
【表１】
2005083242.tif 000003
【００２９】
そして、コントローラ２１においては、前記動作モード判別手段によって判別された動作モードに対応するデータテーブルを選択し、この選択されたデータテーブルに基づいてエンジン１６の実回転数に対応する力行／回生トルク値を求め、この求められた力行／回生トルク値を電動・発電機２０が出力するようにインバータ３８を介してその電動・発電機２０の作動を制御するようにされている。
【００３０】
次に、前記動作モード判別手段による動作モードの判別の手順を図４に示されるフローチャートを参照しつつ以下に説明する。なお、図中記号ＱおよびＲはそれぞれステップを表わす。また、以下の説明において「作業機操作信号」とは、前述のブーム上げ操作信号、ブーム下げ操作信号、アームダンプ操作信号、アーム掘削操作信号、バケットダンプ操作信号およびバケット掘削操作信号を総称する操作信号のことである。
【００３１】
Ｑ１〜Ｑ２：下部走行体２の走行動作が行われるか否かを判断する（Ｑ１）。コントローラ２１に対して走行操作信号が入力されたときには、次のステップＱ２において走行モードであると判定する。一方、コントローラ２１に対して走行操作信号が入力されないときには別のフローのステップＲ１へ進む。
【００３２】
Ｒ１〜Ｒ３：作業機５の動作および／または上部旋回体４の旋回動作が行われるか否かを判断する（Ｒ１）。コントローラ２１に対して旋回操作信号および／または作業機操作信号が入力されたときには、次のステップＲ２において作業モードであると判定する。一方、コントローラ２１に対して旋回操作信号および作業機操作信号のいずれの操作信号も入力されないときには、ステップＲ３においてアイドリングモードであると判定する。
【００３３】
次に、前記動作モード判別手段によって判別された動作モードに基づく電動・発電機の作動について表１および図５〜図７を参照しつつ以下に説明する。
【００３４】
（アイドリングモードの場合：図５参照）
動作モード判別手段によって判別された動作モードがアイドリングモードである場合、コントローラ２１は、表１に示されるデータテーブルＡを選択するとともに、回転数センサ２７によって検出されるエンジン１６の実回転数に基づいてその選択されたデータテーブルＡを検索する。今、一例として、回転数センサ２７によって検出されるエンジン１６の実回転数がＮＣであったとすると、コントローラ２１は、テーブル検索により、電動・発電機２０に出力させるべき回生トルク値として回生トルク値ＴＧ１を算出し、この算出された回生トルク値ＴＧ１に基づく駆動信号をインバータ３８に出力する。これにより、電動・発電機２０は、回生トルク値ＴＧ１による発電動作を行う。ここで、その回生トルク値ＴＧ１は、実回転数ＮＣにおいてエンジン１６との供回り伴う電動・発電機２０の自己消費電力分を補償する発電動作に応じた回生トルク値に設定されている。
【００３５】
（走行モードの場合：図６参照）
動作モード判別手段によって判別された動作モードが走行モードである場合、コントローラ２１は、表１に示されるデータテーブルＡを選択するとともに、回転数センサ２７によって検出されるエンジン１６の実回転数に基づいてその選択されたデータテーブルＡを検索する。つまり、当該走行モードにおいては、前述のアイドリングモードと同様に、エンジン１６との供回りに伴う電動・発電機２０の自己消費電力分を補償する発電動作を行うようにされている。一方、ポンプ吸収トルク制御装置３０は、油圧ポンプ１７に対する入力トルクの最大値を、エンジン１６の目標回転数Ｎｓが設定されることで設定される当該エンジン１６の最大出力点（実回転数ＮＣ）での出力トルク値ＴＥ１に見合う値に設定し、前記入力トルクの最大値がＴＥ１となるように、図中記号ＰＬ３で示されるポンプ吸収トルク制御ラインに沿ってその入力トルクを制御する。
【００３６】
（作業モードの場合：図７参照）
動作モード判別手段によって判別された動作モードが作業モードである場合、コントローラ２１は、表１に示されるデータテーブルＢを選択するとともに、回転数センサ２７によって検出されるエンジン１６の実回転数に基づいてその選択されたデータテーブルＢを検索する。今、一例として、回転数センサ２７によって検出されるエンジン１６の実回転数がＮＡであったとすると、コントローラ２１は、テーブル検索により、電動・発電機２０に出力させるべきトルク値として力行トルク値ＴＭ２を算出し、この算出された力行トルク値ＴＭ２に基づく駆動信号をインバータ３８に出力する。これにより、電動・発電機２０は、力行トルク値ＴＭ２を出力する力行動作を行う。また、この実回転数ＮＡにおいて、前記ポンプ吸収トルク制御装置３０は、油圧ポンプ１７に対する入力トルクの最大値を、エンジン１６の出力トルク値ＴＥ３と電動・発電機２０の力行トルク値ＴＭ２との合成出力トルク値である（ＴＥ３＋ＴＭ２）に見合う値に設定し、前記入力トルクの最大値が（ＴＥ３＋ＴＭ２）となるように、図中記号ＰＬ１で示されるポンプ吸収トルク制御ラインに沿ってその入力トルクを一定に制御する。また、例えば、回転数センサ２７によって検出されるエンジン１６の実回転数がＮＣであったとすると、コントローラ２１は、テーブル検索により、電動・発電機２０に出力させるべきトルク値として回生トルク値ＴＧ２を算出し、この算出された回生トルク値ＴＧ２に基づく駆動信号をインバータ３８に出力する。これにより、電動・発電機２０は、回生トルク値ＴＧ２による発電動作を行う。
【００３７】
さらに、この作業モードにおいては、前記蓄電装置３９に具備される電圧センサ４１や電流センサ４２、温度センサ４３等により得られた電圧、電流、温度等の情報からコントローラ２１が算出した蓄電部４０の蓄電残量に基づき、図８のフローチャートにて示される力行動作の制限の決定プロセスを経て得られた結果から電動・発電機２０の力行動作に対して所定の制限が加えられるようにされている。以下において、図８のフローチャートに示される力行動作の制限の決定プロセスを説明するとともに、力行動作が制限された際の駆動制御装置１５の作動について図７を参照しつつ説明することとする。なお、図８中記号Ｓはステップを表わす。
【００３８】
Ｓ１〜Ｓ２：蓄電残量（Ｓｔａｔｅ  ｏｆ  ｃｈａｒｇｅ；以下、単に「ＳＯＣ」という。）が７０％より大きいか否かを判断する（Ｓ１）。ＳＯＣ＞７０％のときには、前述のＴｂ〔Ｍ／Ｇ〕ラインに基づいて電動・発電機２０の力行／回生動作を実施する（Ｓ２）。一方、ＳＯＣ≦７０％以下のときには、ステップＳ３へ進む。
【００３９】
Ｓ３〜Ｓ５：ＳＯＣが５０％より大きいか否かを判断する（Ｓ３）。ＳＯＣ＞５０％、つまり５０％＜ＳＯＣ≦７０％のときには、図７においてＴｂ'〔Ｍ／Ｇ〕ラインで示される力行トルク出力ライン、すなわち前述のＴｂ〔Ｍ／Ｇ〕ラインで示される力行／回生トルク出力特性のうち力行トルク出力に対してＳＯＣ値に応じた制限を施してなるトルク出力ライン、に基づいて電動・発電機２０の力行動作を実施する（Ｓ４）。この際、ポンプ吸収トルク制御装置３０は、油圧ポンプ１７に対する入力トルクの最大値を、同図において座標〔ＮＡ，（ＴＥ３＋ＴＭ２）〕で示される点Ｍ１を含む等馬力曲線（図中記号ＨＰで示されるライン）と（Ｔｂ'〔Ｍ／Ｇ〕＋Ｔ〔Ｅ〕）ラインとの交点Ｍ２におけるトルク値（ＴＥ２＋ＴＭ１）に見合う値に設定し、前記入力トルクの最大値が（ＴＥ２＋ＴＭ１）となるように、図中記号ＰＬ２で示されるポンプ吸収トルク制御ラインに沿ってその入力トルクを制御する。
【００４０】
一方、ステップＳ３において、ＳＯＣ≦５０％以下であると判断されたときには、電動・発電機２０による力行動作を禁止する（Ｓ５）。この際、ポンプ吸収トルク制御装置３０は、油圧ポンプ１７に対する入力トルクの最大値を、前記等馬力曲線ＨＰとＴ〔Ｅ〕ラインとの交点Ｍ３におけるトルク値ＴＥ１に見合う値に設定し、前記入力トルクの最大値がＴＥ１となるように、図中記号ＰＬ３で示されるポンプ吸収トルク制御ラインに沿ってその入力トルクを制御する。
【００４１】
以上に述べたように、本実施形態によれば、ＳＯＣに応じて電動・発電機２０による力行動作が制限されるので、急速な蓄電残量の減少を防止することができる。また、電動・発電機２０による力行動作が制限または禁止された際に、ポンプ吸収トルク制御装置３０によって、油圧ポンプ１７の出力を一定に保つようにその油圧ポンプ１７に対する入力トルクの最大値が制御されるので、電動・発電機２０によるアシスト力が不足したとしても、エンジンストールの防止は勿論のこと、油圧作動部（走行装置２ｂ、旋回装置３、作業機５）の所期の動作性能を確保することができる。
【図面の簡単な説明】
【００４２】
【図１】本発明の一実施形態に係るハイブリッド油圧ショベルの側面図
【図２】本実施形態のハイブリッド油圧ショベルにおける駆動制御装置の概略システム構成図
【図３】動作モード判別手段に係る装置構成の他の態様例を表わす図
【図４】動作モード判別プロセスを説明するフローチャート
【図５】アイドリングモードにおけるエンジンおよび電動・発電機の出力トルク特性図
【図６】走行モードにおけるエンジンおよび電動・発電機の出力トルク特性図
【図７】作業モードにおけるエンジンおよび電動・発電機の出力トルク特性図
【図８】力行動作の制限の決定プロセスを説明するフローチャート
【符号の説明】
【００４３】
１            ハイブリッド油圧ショベル
２ａ          走行用油圧モータ
２ｂ          走行装置
３            旋回装置
３ａ          旋回用油圧モータ
７            ブーム
８            アーム
９            バケット
１０          ブームシリンダ
１１          アームシリンダ
１２          バケットシリンダ
１５          駆動制御装置
１６          エンジン
１７          油圧ポンプ
２０          電動・発電機
２１          コントローラ
２７          回転数センサ
３８          インバータ
３９          蓄電装置
４４          作業機操作レバー
４５          走行操作レバー
４８，４９    油圧スイッチ
【図１】
2005083242.tif 000004
【図２】
2005083242.tif 000005
【図３】
2005083242.tif 000006
【図４】
2005083242.tif 000007
【図５】
2005083242.tif 000008
【図６】
2005083242.tif 000009
【図７】
2005083242.tif 000010
【図８】
2005083242.tif 000011